(57)【要約】【課題】  消音器を装着して管楽器を吹奏したときにおける吹奏状態を把握することができる技術的手段を提供する。【解決手段】  本体部は、胴部１１と底部１２とから構成される。本体部の内側には、ベル３内に生じる音を収音するマイクロフォン３３がパイプ３４および支持部３２を介して固定されている。底部１２の外壁には、表示部２０が固定されている。表示部２０は、多色発光ダイオードからなる長方形の点灯部２１を複数有している。各点灯部２１は、当該点灯部２１の短辺方向に並べられている。表示部２０の各点灯部２１は、マイクロフォン３３が収音した音の音量に従って点灯する。【選択図】図１
2015045770.tif 000002
【特許請求の範囲】
【請求項１】
後端側から管楽器のベルに挿入される本体部と、
前記管楽器の吹奏状態を検出する検出手段と、
前記本体部の前端の外壁に設けられ、前記検出手段により取得した吹奏状態を示す情報を表示する表示手段と、
を具備することを特徴とする消音器。
【請求項２】
前記検出手段は、前記本体部とともに前記ベルに挿入され、前記ベル内に生じる音を取得する収音手段を有し、
前記収音手段により取得した音の音量を示す情報を前記表示手段に表示させることを特徴とする請求項１に記載の消音器。
【請求項３】
前記表示手段は、前記吹奏状態を示す情報を表示する第１の表示態様、または、前記吹奏状態を示す情報を鏡像反転して表示する第２の表示態様のいずれかの表示態様で表示し、前記第１の表示態様と前記第２の表示態様とを切り替え可能であることを特徴とする請求項１または２に記載の消音器。
【請求項４】
前記表示手段は、自在に曲げることができ、かつ、曲げた姿勢を保持することができる部材を介して前記前端の外壁に固定されることを特徴とする請求項１〜３のいずれか１の請求項に記載の消音器。
【請求項５】
前記表示手段は、複数の発光素子を有し、前記検出手段により検出された吹奏状態に基づいて前記複数の発光素子を発光させることを特徴とする請求項１〜４のいずれか１の請求項に記載の消音器。
【発明の詳細な説明】
【技術分野】
【０００１】
この発明は、消音器に関する。
【背景技術】
【０００２】
トランペットなどの管楽器の音量を少なくする目的で使用される消音器がある（例えば特許文献１）。この種の消音器は、大きな音量で吹奏することができない場所や状況における吹奏の練習などに使用される。
【先行技術文献】
【特許文献】
【０００３】
【特許文献１】特許第４１２４２３６号公報
【発明の概要】
【発明が解決しようとする課題】
【０００４】
ところで、消音器を装着した管楽器の吹奏練習では、消音器を装着しない場合と同様の吹奏方法で吹奏することが好ましい。しかし、消音器を装着して吹奏する場合、吹奏者が聴く音の音量は、消音器を装着しないで吹奏する場合に比べ小さくなる。このため、消音器を装着した管楽器の吹奏では、消音器を装着しなかったとした場合に管楽器から放音される音量を推定することが困難である。また、消音器を装着して吹奏する場合、吹奏者が聴く音の音量が小さくなるため、吹奏者は、消音器を装着しないで吹奏する場合に比べ自然と呼気を強く吹き込んで吹奏してしまう、ということがある。自然と呼気を強く吹きこんで吹奏すると、吹奏者の唇が早く疲労することがあり、また、本来の吹奏方法と異なる好ましくない吹奏方法を身につけてしまう恐れがある。このように、消音器を装着して吹奏する場合、吹奏者は吹奏状態（例えば音量や呼気の吹き込む強さなど）を正確に把握することが困難である、という問題がある。
【０００５】
ここで、消音器を装着した状態での管楽器の吹奏では、ベル内にマイクロフォンを配置し、このマイクロフォンによりベル内の音を収音し、その音をイヤホンにより聴くという方法を取ることが可能である。しかし、吹奏者が消音器を装着しイヤホンを用いて吹奏音を聴いたときに感じる音量感と、吹奏者が消音器を装着しないで吹奏したときに感じる音量感とが、吹奏感、音色、骨伝導音との関係などにより異なる。このため、イヤホンを用いた場合、吹奏者は、自分がどのくらいの強さで呼気を吹き込んでいるのかが分かり難くなる。従って、消音器を装着して吹奏する場合、イヤホンを用いて吹奏音を聴いたとしても、吹奏者は吹奏状態を正確に把握することが困難である。また、長時間に亙ってイヤホンを装着するのは非常に煩わしいものである。
【０００６】
この発明は以上のような事情に鑑みてなされたものであり、消音器を装着して管楽器を吹奏したときにおける吹奏状態を把握することができる技術的手段を提供することを目的としている。
【課題を解決するための手段】
【０００７】
この発明は、後端側から管楽器のベルに挿入される本体部と、前記管楽器の吹奏状態を検出する検出手段と、前記本体部の前端の外壁に設けられ、前記検出手段により取得した吹奏状態を示す情報を表示する表示手段と、を具備することを特徴とする消音器を提供する。
【０００８】
この発明によれば、検出手段により取得した吹奏状態を示す情報が本体部の前端の外壁に設けられる表示手段に表示される。このため、消音器を管楽器に装着して管楽器を吹奏したときの吹奏状態を表示手段の表示を見ることにより把握することができる。また、イヤホンを耳に装着する煩わしさもない。また、イヤホンにより吹奏音を確認する態様では、イヤホンを装着している人のみしか吹奏音を確認することができないが、本発明では、表示手段の表示をみることにより複数人が同時に吹奏状態を把握することができる。さらに、本発明では、表示手段が消音器の本体部に設けられているため、消音器とは別個に表示手段を用意する必要がない。
【０００９】
好ましい態様において、前記検出手段は、前記本体部とともに前記ベルに挿入され、前記ベル内に生じる音を取得する収音手段を有し、前記収音手段により取得した音の音量を示す情報を前記表示手段に表示させることを特徴とする。この態様によれば、収音手段により取得したベル内に生じる音の音量が表示手段に表示される。このため、消音器を管楽器に装着して管楽器を吹奏したときのベル内に生じる音の音量を表示手段の表示を見ることで把握することができる。
【図面の簡単な説明】
【００１０】
【図１】この発明の第１実施形態による消音器１の構成を示す縦断面図および正面図である。
【図２】同消音器１の表示部２０の表示態様が鏡像表示のときにおける消音器１の構成を示す正面図および同鏡像表示のときにおける消音器１の正面を鏡４０に映したときの鏡４０に映った消音器１の鏡像を示す鏡像図である。
【図３】この発明の第２実施形態による消音器１Ａの構成を示す正面図である。
【図４】同消音器１Ａの表示部２０Ａの表示態様が鏡像表示のときにおける消音器１Ａの構成を示す正面図および同鏡像表示のときにおける消音器１Ａの正面を鏡４０に映したときの鏡４０に映った消音器１Ａの鏡像を示す鏡像図である。
【図５】この発明の第３実施形態による消音器１Ｂの構成を示す正面図である。
【図６】この発明の変形例（１３）による消音器１Ｃの構成を示す正面図である。
【発明を実施するための形態】
【００１１】
以下、図面を参照し、この発明の実施形態について説明する。
＜第１実施形態＞
図１は、この発明の第１実施形態による消音器１の構成を示す縦断面図である。本実施形態による消音器１は、トランペット用の消音器１である。図１は、消音器１をトランペットのベル３に装着した状態を示す。消音器１は、胴部１１と底部１２とから構成される本体部を有する。本体部の内側には、マイクロフォン３３が固定されている。本実施形態による消音器１は、このマイクロフォン３３によりベル３内に生じた音を収音し、収音した音の音量を示す情報を表示部２０に表示させるものである。本実施形態による表示部２０は、ＬＥＤ（Ｌｉｇｈｔ  Ｅｍｉｔｔｉｎｇ  Ｄｉｏｄｅ：発光ダイオード）インジケータである。このＬＥＤインジケータは、複数の点灯部２１（ＬＥＤ）により構成されている。本実施形態では、ユーザの吹奏によりベル３内に生じた音の音量に従って、この複数の点灯部２１の点灯態様を変化させる。従って、この複数の点灯部２１の点灯態様を見ることで吹奏によりベル３内に生じる音の音量を把握することができる。
以下、消音器１の構成を詳細に説明する。
【００１２】
消音器１の本体部は、胴部１１を有する。この胴部１１は、その内側に空洞１３を有する略円錐管形状の中空の管体である。この胴部１１は、前端である大径側端１１ａから後端である小径側端１１ｂに向かってトランペットのベル３の内壁に沿うようにして外径および内径が小さくなっている。後端である小径側端１１ｂは開口している。小径側端１１ｂ近傍の胴部１１の外壁には、柔軟な素材からなる取り付け部１４が設けられている。消音器１は、小径側端１１ｂ側からトランペットのベル３に挿入される。そして、胴部１１は、小径側端１１ｂ近傍において、取り付け部１４を介してベル３の内壁に固定される。
【００１３】
本体部の前端には、底部１２がある。この底部１２は、皿状であり、皿の底の部分が消音器１の軸近傍に位置している。また、底部１２の縁の部分は、胴部１１の大径側端１１ａと接着剤等により接合されている。底部１２は、胴部１１の前端である大径側端１１ａを閉塞する閉塞部として機能し、大径側端１１ａは閉塞端となっている。また、底部１２は、胴部１１がトランペットのベル３の内壁に固定されたときにベル３の端面近傍に位置する。より詳細には、底部１２と胴部１１の接合部近傍がベル３の端面に位置し、底部１２は、当該底部１２が湾曲している分だけベル３の端面よりも外側（前方側）に突出する。
【００１４】
底部１２の内壁には、一端が底部１２の内壁近傍において開口されているＵ字パイプ１６の他端が固定されている。底部１２のＵ字パイプ１６が固定されている部分には、貫通孔１５が設けられている。Ｕ字パイプ１６の内径および貫通孔１５の径は、トランペットのマウスピースの最小内径と同径以上となっている。トランペットのマウスピースから吹き込まれトランペット内を通過し、消音器１の胴部１１の小径側端１１ｂから消音器１内の空洞１３に導入された呼気は、Ｕ字パイプ１６を通過し貫通孔１５から消音器１の外部の空間に排出される。
【００１５】
また、底部１２の中心近傍における消音器１の内部側には、底部１２から胴部１１の小径側端１１ｂ方向に胴部１１の軸に沿って配置されるパイプ３１を支えるための支持部３２が設けられている。パイプ３１の先端にはマイクロフォン３３が取り付けられている。マイクロフォン３３は、消音器１をトランペットに装着するとき、本体部とともにベル３内に挿入される。マイクロフォン３３は、トランペットの吹奏状態を検出する検出手段である。具体的には、マイクロフォン３３は、消音器１をトランペットに装着して吹奏したときにベル３内に生じる音を取得する収音手段である。このマイクロフォン３３により、消音器１を装着して吹奏したときの吹奏状態のうち特にベル３内における音量が検出される。パイプ３１の内部にはマイクロフォン３３に接続された信号線３４が挿通されている。信号線３４は、底部１２の中心に設けられたパッキン３５を介して消音器１の外部に連続しており、表示部２０に接続されている。また、パイプ３１のマイクロフォン３３側端近傍には、音程調節部３６が固定されている。音程調節部３６は、ベル３の内壁に沿うようにしてパイプ３１のマイクロフォン３３側端に向かって外径および内径が小さくなっている。音程調節部３６の大径側端３６ａは開口しており、同小径側端３６ｂはパイプ３１の先端において閉塞している。
【００１６】
底部１２の外壁には、表示部２０が固定されている。表示部２０は、検出手段により取得した吹奏状態を示す情報を表示する表示手段である。本実施形態による表示部２０は、マイクロフォン３３が収音したベル３内の音の音量を示す情報を表示する。表示部２０は、視覚により音量を把握させる役割を担う。本実施形態による表示部２０は、ＬＥＤインジケータである。より詳細に説明すると、図１に示すように、表示部２０は、多色発光ダイオードからなる長方形の点灯部２１を複数（図１では１０個）有している。なお、点灯部２１の数は図１に示す１０個に限られない。各点灯部２１は、消音器１をトランペットに装着してベル３の前方側からベル３の端面を見たときに各点灯部２１が見えるように表示部２０の正面に配置されている。各点灯部２１が配置されている面は、表示部２０の表示面として機能する。各点灯部２１は、当該点灯部２１の短辺方向に並べられている。また、図１（Ｂ）に示すように、表示部２０は、底部１２の中央よりも下側の位置に配置されている。また、表示部２０は、ベル３の前方側からベル３の端面を見たときに各点灯部２１が左右方向（水平方向）に並ぶように底部１２の外壁に固定されている。そして、消音器１は、表示部２０が底部１２の中央よりも下側に位置し、各点灯部２１が左右方向に並ぶような姿勢でトランペットに装着される。また、表示部２０の正面の面積は、底部１２の正面の面積よりも小さくなっている。また、表示部２０は、電源（電池）と制御部とを内蔵している（図示略）。この電源と制御部は、表示部２０を動作させるためのものである。
【００１７】
表示部２０の各点灯部２１は、閾値を越えた音量を示す信号が入力されたときに点灯する。すなわち、表示部２０の各点灯部２１は、音量に対応付けられている。ここで、表示部２０の各点灯部２１は、通常の状態において、当該各点灯部２１のうち正面から見て左側の点灯部２１の閾値が低く右側の点灯部２１に進むに従って閾値が所定値毎に高くなるように設定される。すなわち、表示部２０は、入力された信号が示す音量レベルに対応する点灯部２１から左側の点灯部２１をすべて点灯させる。そして、入力される信号が示す音量が小さくなると、その音量レベルに対応する点灯部２１は左側方向にシフトし点灯する点灯部２１の数が少なくなる。一方、入力される信号が示す音量が大きくなると、その音量レベルに対応する点灯部２１は右側方向にシフトし点灯する点灯部２１の数が多くなる。換言すると、ベル３内の音の音量が大きくなるほど左側から右側に向かって点灯部２１が点灯していく。なお、上記のように、正面から表示部２０を見たときに音量が大きくなるほど右側方向に点灯が進む表示態様を、以下、順方向表示という。
【００１８】
また、表示部２０の各点灯部２１は、当該各点灯部２１のうち正面から見て右側の点灯部２１の閾値が低く左側の点灯部２１に進むに従って閾値が所定値毎に高くなるように設定することもできる。図２（Ｂ）は、このときの消音器１の構成を示す正面図である。図２（Ｂ）に示すように、この設定において表示部２０は、入力された信号が示す音量レベルに対応する点灯部２１から右側の点灯部２１をすべて点灯させる。そして、入力される信号が示す音量が小さくなると、その音量レベルに対応する点灯部２１は右側方向にシフトし点灯する点灯部２１の数が少なくなる。一方、入力される信号が示す音量が大きくなると、その音量レベルに対応する点灯部２１は左側方向にシフトし点灯する点灯部２１の数が多くなる。換言すると、ベル３内の音の音量が大きくなるほど右側から左側に向かって点灯部２１が点灯していく。このように、表示部２０は、音量を示す情報を鏡像反転して表示する表示態様とすることもできる。ここで、鏡像反転とは、左右反転と同様の意味である。また、鏡像反転して表示する表示内容は、順方向表示による表示内容を左右反転したものである。なお、上記のように、正面から表示部２０を見たときに音量が大きくなるほど左側方向に点灯が進む表示態様（鏡像反転して表示する表示態様）を、以下、鏡像表示という。
【００１９】
図２（Ａ）は、図２（Ｂ）に示す消音器１の正面を鏡に映したときの鏡４０に映った消音器１の鏡像を示す鏡像図である。右側から左側に向かって点灯部２１が点灯していく設定（鏡像表示）にした表示部２０を有する消音器１（図２（Ｂ））の正面を鏡４０に対向させると、当該鏡４０には、図２（Ａ）に示すように左側から右側に向かって点灯部２１が点灯していく表示部２０を有する消音器１が映る。すなわち、表示部２０の表示態様を鏡像表示に設定して表示部２０の表示面を鏡４０に対向させると、鏡４０には、順方向表示による表示内容と同じものが映る。従って、順方向表示で表示された音量を示す情報を鏡４０を介して間接的に見ることができる。
【００２０】
消音器１の表示部２０は、順方向表示（第１の表示態様）と鏡像表示（第２の表示態様）のいずれかの表示態様で表示する。そして、ユーザの操作により、順方向表示（第１の表示態様）と鏡像表示（第２の表示態様）とを切り替えることができる。また、表示部２０の各点灯部２１は、表示部２０に入力される信号に従ってリアルタイムに点灯する。また、表示部２０は、例えば、閾値が低い点灯部２１を緑色で点灯させ、閾値が高い点灯部２１を赤色で点灯させるという具合に、各点灯部２１の点灯する色を変えても良い。
以上が、消音器１の構成である。
【００２１】
次に、本実施形態による消音器１の動作を説明する。まず、表示部２０の初期設定を行う。より詳細に説明すると、ユーザは、消音器１をトランペットに装着せずに、消音器１に設けられた録音スタートボタン（図示略）を押下する。次に、ユーザは、消音器１のマイクロフォン３３に向かってトランペットを通常の音量で吹奏する。このとき、ユーザは、マイクロフォン３３の収音面にベル３の端面を対向させて、ベル３の軸の延長線上にマイクロフォン３３の軸が重なるような姿勢で、かつ、マイクロフォン３３にベル３をできるだけ近づけた位置でトランペットを吹奏する。ユーザがトランペットを吹奏すると、マイクロフォン３３は、トランペットから放音される音を収音する。これにより、消音器１は、消音器１が装着されていない状態におけるトランペットの吹奏音を録音する。録音は、例えば数秒程度継続される。なお、録音スタートボタンをユーザが押下して録音を開始する態様に限られず、例えば、５０ｄＢ以上の音が入力されたときに自動で録音を開始するようにしても良い。
【００２２】
次に、表示部２０は、録音した音の平均音量を算出する。次に、表示部２０は、算出した平均音量のデシベル値を表示部２０の中央の点灯部２１に対応した閾値ｔｈ０とする。次に、表示部２０は、正面から見て中央の点灯部２１の左横の点灯部２１に対応した閾値ｔｈＬ１をｔｈ０−６ｄＢ、さらにその左横の点灯部２１に対応した閾値ｔｈＬ２をｔｈ０−１２ｄＢ、・・・という具合に、左側に進むに従って６ｄＢずつ小さくなる閾値を各点灯部２１について決定する。また、表示部２０は、正面から見て中央の点灯部２１の右横の点灯部２１に対応した閾値ｔｈＲ１をｔｈ０＋６ｄＢ、さらにその右横の点灯部２１に対応した閾値ｔｈＲ２をｔｈ０＋１２ｄＢ、・・・という具合に、右側に進むに従って６ｄＢずつ大きくなる閾値を各点灯部２１について決定する。このようにして、各点灯部２１の閾値の初期設定が行われる。この初期設定により、消音器１が装着されていないときの音量を基準として表示部２０の点灯部２１を点灯させることができる。
【００２３】
次に、表示部２０の表示態様の設定を行う。ユーザは、表示部２０を操作して、順方向表示あるいは鏡像表示のいずれかを選択する。鏡像表示が選択された場合、消音器１は、中央の点灯部２１を境として左右の各点灯部２１の音量のデシベル値を左右反転させて当該各点灯部２１の閾値に対応させる。
【００２４】
次に、ユーザは、消音器１をトランペットのベル３に装着する。このとき、消音器１は、図１に示すように表示部２０が底部１２の中央よりも下側に配意されるように装着される。そして、ユーザは、トランペットを吹奏する。消音器１により閉塞されたトランペットのベル３内に生じた音は、ベル３内のマイクロフォン３３により収音される。表示部２０は、マイクロフォン３３により収音された音を示す信号を信号線３４を介して受け取る。表示部２０は、入力された信号が示す音の音量をデシベル値で算出する。そして、表示部２０は、算出したデシベル値よりも閾値が低い点灯部２１を点灯させる。このとき、表示部２０の表示態様を順方向表示に設定してあれば、左側から右側に向かって点灯部２１の点灯が進み、同表示態様を鏡像表示に設定してあれば、右側から左側に向かって点灯部２１の点灯が進む。そして、ユーザの吹奏によりベル３内に生じる音の音量に従ってリアルタイムに表示部２０の各点灯部２１が点灯する。
【００２５】
このように、本実施形態による消音器１は、吹奏状態を検出する検出手段と、検出手段により取得した吹奏状態を示す情報を表示する表示手段とを有している。具体的には、消音器１は、検出手段としてベル３内に生じる音を収音するマイクロフォン３３を有し、表示手段としてマイクロフォン３３が収音した音の音量を示す情報を表示する表示部２０を有している。表示部２０は複数の点灯部２１を有し、各点灯部２１は表示部２０に入力される信号が示す音の音量に従って点灯する。これにより、消音器１をトランペットに装着して吹奏したときにおけるベル３内に生じる音の音量をイヤホンを使用せずに目視により確認することができる。すなわち、消音器１を装着して管楽器を吹奏したときにおける吹奏状態（本実施形態では特に音量）を把握することができる。また、消音器１を装着しなかった場合の音量を基準とした音量が表示部２０に表示されるように表示部２０の初期設定を行っているため、消音器１を装着して吹奏しても消音器１を装着しなかったとした場合にトランペットから放音される音量を把握することができる。また、イヤホンを耳に装着する煩わしさがない。また、イヤホンにより吹奏音を確認する態様ではイヤホンを装着している人のみしか吹奏音を確認することができないが、本実施形態による消音器１では、表示部２０の表示を見る複数人が同時に吹奏状態（本実施形態では特に音量）を確認することができる。また、音量を確認しながら吹奏することができるため、自然と呼気を強く吹き込んで吹奏してしまうことを防止することができる。また、表示部２０が消音器１の本体部に設けられているため、消音器とは別個に表示手段を用意する必要がない。
【００２６】
また、消音器１は、表示部２０において順方向表示と鏡像表示とを切り替えることができる。表示部２０を順方向表示にすることで、トランペットを吹奏しているユーザ以外の他人が表示部２０の表示を直接目視することができる。例えば、消音器１をトランペットに装着して合奏の指導を受ける場合、指揮者や指導者が表示部２０の表示を直接目視し、各吹奏者に適切なアドバイスをすることができる。一方、表示部２０の表示態様を鏡像表示にして表示部２０を鏡４０に映すことで、消音器１を装着してトランペットを吹奏しているユーザが表示部２０の表示を鏡４０を介して目視することができる。例えば、消音器１をトランペットに装着して個人練習をする場合、鏡４０に映った表示部２０の表示を目視し、音量を確認しながら吹奏をすることができる。このとき、表示部２０の各点灯部２１は消音器１の正面に配置されているため、ベル３の端面を鏡４０に対向させると表示部２０の各点灯部２１は自然に鏡４０に映る。そして、吹奏時のユーザの視線はトランペットのマウスピース側からベル３側へ向かう方向であるため、鏡４０に映った表示部２０の各点灯部２１を自然に見ることができる。また、表示部２０の表示態様を鏡像表示とすることにより、順方向表示による表示内容と同様の表示内容を鏡４０を介して見ることができるため、違和感なく音量を確認することができる。また、個人指導を受ける場合、吹奏しているユーザとその指導者の両方が鏡４０に映った表示部２０の表示を見ることにより、ユーザは、指導者からの適切なアドバイスを受けつつ音量を確認しながら吹奏をすることができる。
【００２７】
また、表示部２０の表示を見ることで、意図する音量となっているかを確認することができるにとどまらない。すなわち、音量以外の吹奏状態も確認することができる。例えば、トランペットを吹き始めるタイミングやトランペットを吹き終わるタイミング（すなわち音の出し始めや出し終わるタイミング）を確認することもできる。また、例えば、ビブラート（すなわち音量を細かく変化させる吹奏方法）やタンギング（すなわち音の区切りを明瞭にする吹奏方法）なども確認することができる。
【００２８】
＜第２実施形態＞
図３は、この発明の第２実施形態による消音器１Ａの構成を示す正面図である。本実施形態による消音器１Ａは表示部２０に代えて表示部２０Ａとした点において第１実施形態による消音器１と異なる。本実施形態による消音器１Ａの表示部２０Ａは、第１実施形態による消音器１の表示部２０における点灯部２１をＬＣＤ２２（Ｌｉｑｕｉｄ  Ｃｒｙｓｔａｌ  Ｄｉｓｐｌａｙ：液晶ディスプレイ）に代えたものである。
【００２９】
表示部２０Ａは、マイクロフォン３３が収音した音の音量をデシベル値で算出し、その音量のデシベル値をＬＣＤ２２に文字、数字、画像などで表示する装置である。ＬＣＤ２２は、表示部２０Ａの表示面として機能する。ＬＣＤ２２は、消音器１Ａをトランペットに装着してベル３の前方側からベル３の端面を見たときにＬＣＤ２２が見えるように表示部２０Ａの正面に配置される。図３に示すように、ＬＣＤ２２には、例えば、音量“８０ｄＢ”を示す文字等が表示される。なお、画像等により音量を示す情報をＬＣＤ２２に表示しても良い。また、音量に応じてＬＣＤ２２に表示する文字等の色を変更したり背景色を変更したりしても良い。
【００３０】
また、第１実施形態における表示部２０と同様に、表示部２０Ａは、ＬＣＤ２２に音量を示す情報を順方向表示で表示することができることに加え、ＬＣＤ２２に音量を示す情報を鏡像反転して表示する鏡像表示で表示することができる。そして、ユーザの操作により、順方向表示と鏡像表示とを切り替えることができる。ここで、本実施形態における順方向表示は、正面からＬＣＤ２２を見たときにＬＣＤ２２の表示内容を理解することができるように表示する表示態様を指す。また、本実施形態における鏡像表示は、正面からＬＣＤ２２を見たときに音量を示す情報を鏡像反転して表示する表示態様であり、鏡４０に映ったＬＣＤ２２が表示する表示内容を見たときにその表示内容を理解することができるように表示する表示態様を指す。図４（Ｂ）は、表示部２０Ａの表示態様を鏡像表示としたときの消音器１Ａの構成を示す正面図であり、図４（Ａ）は、図４（Ｂ）に示す消音器１Ａの正面を鏡４０に映したときの鏡４０に映った消音器１Ａの鏡像を示す鏡像図である。図４（Ｂ）に示すように、ＬＣＤ２２には、音量“８０ｄＢ”を示す文字が鏡像反転（左右反転）して表示されており、正面からＬＣＤ２２を見たときには“８０ｄＢ”を理解し難い。しかし、図４（Ａ）に示すように、ＬＣＤ２２を鏡４０に映すことで、鏡４０に映ったＬＣＤ２２が表示する表示内容“８０ｄＢ”を理解することができる。
【００３１】
従って、本実施形態においても、第１実施形態と同様の効果を奏する。
【００３２】
＜第３実施形態＞
図５は、この発明の第３実施形態による消音器１Ｂの構成を示す正面図である。本実施形態による消音器１Ｂは、表示部２０をフレキシブルアーム２５を介して消音器１Ｂに固定した点において第１実施形態による消音器１と異なる。本実施形態による消音器１Ｂの表示部２０は、第１実施形態による消音器１の表示部２０と同様である。
【００３３】
フレキシブルアーム２５は、例えば、蛇腹状の金属製のチューブである。フレキシブルアーム２５は、軽い力で自在に曲げることができ、かつ、曲げた姿勢を保持することができる部材である。フレキシブルアーム２５の一端は、底部１２の外壁に固定されている。フレキシブルアーム２５の他端には、表示部２０が固定されている。また、フレキシブルアーム２５内には、マイクロフォン３３から表示部２０に連続する信号線３４が挿通されている。
【００３４】
図５（Ａ）は、表示部２０が底部１２の縁よりも内側に収まるようにフレキシブルアーム２５を曲げた状態を示している。図５（Ａ）のようにフレキシブルアーム２５を曲げると、底部１２の外壁に表示部２０を固定した第１実施形態の消音器１と同様に取り扱うことができる。また、図５（Ｂ）は、表示部２０が底部１２の縁よりも外側に位置するようにフレキシブルアーム２５を曲げた状態を示している。図５（Ｂ）のようにフレキシブルアーム２５を曲げると、底部１２の縁により囲まれた範囲よりも広い範囲に表示部２０が位置するため、表示部２０をより見易くすることができる。このように、消音器１Ｂは、フレキシブルアーム２５を自在に曲げることにより、フレキシブルアーム２５の先端の表示部２０の位置および姿勢を自在に調整することができる。
【００３５】
本実施形態においても、第１実施形態と同様な効果を奏する。
【００３６】
また、本実施形態による消音器１Ｂでは、第１実施形態による消音器１に比べ表示部２０をより見易い位置に移動させることができる。例えば、消音器１Ｂをトランペットに装着して合奏の指導を受ける場合において前列の吹奏者によって後列の吹奏者の消音器１Ｂの底面１２が隠れてしまう場合、底面１２の縁よりも外側に表示部２０が位置するようにフレキシブルアーム２５を動かして表示部２０を指揮者や指導者から見易くすることができる。また、フレキシブルアーム２５を動かして、表示部２０の正面をトランペットを吹奏しているユーザの方へ向けることもできる。このため、トランペットを吹奏しているユーザは、鏡４０を介さずに表示部２０の表示を直接に目視することもできる。
【００３７】
なお、本実施形態による消音器１Ｂでは、フレキシブルアーム２５を用いていたが、自在に曲げることができ、かつ、曲げた姿勢を保持することができるものであれば良く、フレキシブルアーム２５に限られない。
【００３８】
＜他の実施形態＞
以上、この発明の第１から第３実施形態について説明したが、この発明には他にも実施形態が考えられる。例えば次の通りである。
【００３９】
（１）上記各実施形態では、トランペット用の消音器１〜１Ｂを例に説明したが、トランペット以外の管楽器に用いる消音器においても同様な消音器を設計することができるのは勿論である。
【００４０】
（２）上記各実施形態による消音器１〜１Ｂにおいて、検出手段は、ベル３内に生じる音を取得するマイクロフォン３３であり、表示手段は、音量を示す情報を表示していた。しかし、検出手段は、マイクロフォン３３に限られず、表示手段が表示する吹奏状態を示す情報は、音量を示す情報に限られない。また、消音器は、検出手段を複数有していても良い。
【００４１】
例えば、管楽器に吹き込まれる呼気の流量に着目し、呼気の流量を検出する流量センサを検出手段として有しても良い。消音器を装着した状態での管楽器の吹奏では、自然と呼気を強く吹き込んでしまうことがある。そのため、ユーザ（吹奏者）に吹奏状態として管楽器に吹き込まれる呼気の流量を把握させるのである。この場合、表示部２０および２０Ａは、流量センサが検出した呼気の流量の大きさを表示する。これにより、ユーザは、表示部２０および２０Ａを見ることにより、管楽器に吹き込む呼気の流量が適切であるか否かを確認することができる。従って、自然と呼気を強く吹き込んでしまうことを防ぐことができる。また、流量センサで呼気の流量を検出し、検出した呼気の流量を音量に対応付けて、その対応付けた音量を示す情報を表示部２０および２０Ａに表示させるようにしても良い。なお、呼気の流量を検出する流量センサに限られず、例えば、呼気の流速を検出するセンサなどを用いても良い。
【００４２】
また、マウスピースとユーザ（吹奏者）の唇との間の距離に着目し、その距離を検出する距離センサを検出手段として有しても良い。距離センサは、管楽器を吹奏しているか否かという吹奏状態をマウスピースとユーザの唇との間の距離により検出するものである。例えば、消音器は、この距離センサとマイクロフォン３３との両方を有し、マイクロフォン３３がベル３内の音を検出し、かつ、距離センサが所定距離内に唇を検出した場合に、表示部２０および２０Ａに音量を示す情報を表示する。この態様では、距離センサが所定距離内に唇を検出しない場合、管楽器は吹奏されていないとして、表示部２０および２０Ａに音量を示す情報が表示されない。従って、吹奏していないときに雑音などにより音量を示す情報が表示部２０および２０Ａに表示されるというような誤表示を回避することができる。
【００４３】
また、マウスピースへの唇の接触圧に着目し、その接触圧を検出する圧力センサを検出手段として有しても良い。一般に、管楽器の吹奏者（特に初心者）は、高い音を吹奏する際に、必要以上に唇をマウスピースに押し付けてしまう傾向がある。必要以上に唇をマウスピースに押し付けた状態で吹奏することは好ましくない。そのため、吹奏状態としてマウスピースへの唇の接触圧を検出する。この場合、表示部２０および２０Ａは、圧力センサが検出したマウスピースへの唇の接触圧の大きさを表示する。より具体的には、例えば、消音器は、この圧力センサとマイクロフォン３３との両方を有し、ベル３内に生じる音を収音するとともにマウスピースへの唇の接触圧を取得する。この態様における表示部２０および２０Ａには、マイクロフォン３３が収音する音の音域毎にマウスピースへの唇の接触圧の閾値が予め設定されている。そして、表示部２０および２０Ａは、マイクロフォン３３が収音した音の音域に対応する閾値を越えた接触圧が取得された場合、表示色を変更する。これにより、吹奏音の音域に対して必要以上に唇をマウスピースに押し付けているか否かを確認することができる。従って、必要以上に唇をマウスピースに押し付けないように注意しながら吹奏することができる。
【００４４】
（３）上記各実施形態による消音器１〜１Ｂにおける表示部２０および２０Ａは、ＬＥＤからなる点灯部２１およびＬＣＤ２２を有していた。しかし、表示手段は、ＬＥＤおよびＬＣＤ２２に限られない。例えば、表示手段として有機エレクトロルミネッセンスを利用した装置を用いても良い。有機エレクトロルミネッセンスを利用した装置を用いることで、ＬＥＤおよびＬＣＤ２２に比べ消音器の重量を軽減することができる。
【００４５】
（４）消音器に表示部２０および２０Ａを複数設けても良い。表示部２０および２０Ａを複数設けることで、例えば、１の表示部２０および２０Ａに現在の音量を示す情報を表示し、他の表示部２０および２０Ａに例えばお手本となる音量を示す情報などの参照情報を表示しても良い。このようにすると、参照情報を目視で参照しつつ現在の音量を目視で確認することができる。
【００４６】
（５）消音器に記憶部を設けても良い。例えば、記憶部は表示部２０および２０Ａに内蔵される。例えば、ユーザが過去に吹奏したときの音量を示す情報を記憶部に記憶しておき、記憶しておいた過去の音量を現在において読み出して表示部２０および２０Ａに表示する。このようにすると、過去の音量を参照しながら吹奏することができる。このとき、表示部２０および２０Ａが複数設けられていると、過去の音量を参照しつつ現在の音量も確認することができる。また、記憶部に、表示部２０の点灯部２１の初期設定などの設定情報を記憶させても良い。
【００４７】
（６）上記第２実施形態による消音器１Ａでは、表示部２０ＡのＬＣＤ２２に音量を数値で表示していた。しかし、表示部２０Ａの表示態様はこれに限られない。例えば、横軸を時間とし縦軸を音量などの吹奏状態を示す情報としたグラフなどにより表示しても良い。このとき、適切な音量の範囲を示す閾値情報などを付加して表示しても良い。このように、吹奏状態を示す情報をグラフで表示すると、その吹奏状態を示す情報の時間変化を直感的に把握することができる。また、複数の検出手段を有している場合、複数の吹奏状態を示す情報を同時に表示部２０Ａに表示しても良い。例えば、横軸を時間とし縦軸を音量としたグラフと横軸を時間とし縦軸をマウスピースへの接触圧の大きさとしたグラフの両方を表示するという具合である。また、例えば、現在の吹奏状態を示す情報と過去の吹奏状態を示す情報とを表示部２０Ａに同時に表示しても良い。
【００４８】
（７）上記第１実施形態による消音器１の表示部２０は、複数の点灯部２１を有しており、点灯された点灯部２１の数により音量を表現していた。しかし、多色発光ダイオードからなる点灯部２１を１つだけ有し、点灯部２１の点灯する色により音量などの吹奏状態を表現しても良い。例えば、音量が小さいほど緑色に近い色で点灯し、音量が大きいほど赤色に近い色で点灯するという具合である。また、点灯部２１の点滅により音量などの吹奏状態を表現しても良い。例えば、音量が小さいほど点灯部２１が遅く点滅し、音量が大きいほど点灯部２１が速く点滅するという具合である。また、単色発光ダイオードまたは多色発光ダイオードからなる点灯部２１を１つだけ有し、所定の閾値を越えた音量を示す信号が当該点灯部２１に入力されたときに当該点灯部２１を点灯させても良い。
【００４９】
（８）上記第１実施形態による消音器１の表示部２０初期設定は、消音器１の動作説明において説明した方法に限られない。例えば、次のような方法も挙げられる。まず、ユーザは、トランペットに消音器１を装着しないで通常の音量の音をロングトーン（１つの音を長く吹き続ける奏法）で吹奏する。次に、ユーザは、トランペットを吹き続けたまま消音器１をトランペットに装着し、消音器１をトランペットに装着後も引き続きトランペットを吹き続ける。このとき、ユーザは、トランペットに吹き込む息の強さが消音器１の装着前後で同程度となるように注意する。そして、ユーザは、消音器１を装着してトランペットを吹き続けている状態で、消音器１に設けられた校正ボタン（図示略）を押下する。これにより、消音器１のマイクロフォン３３は、校正ボタンが押下されたときの音量を取得する。そして、表示部２０は、校正ボタンが押下された時点においてマイクロフォン３３が取得した音量のデシベル値を中央の点灯部２１に対応する閾値とする。中央の点灯部２１以外の他の点灯部２１については、先述の初期設定の方法と同様である。この例は、吹き込む息の強さが消音器１の装着前後で同程度にすることができるユーザが表示部２０の初期設定を行う場合に有益である。
【００５０】
（９）上記第１実施形態による消音器１の表示部２０には、消音器１を装着して吹奏したときの音量が、予めユーザが吹奏して設定した音量を基準として表示されていた（すなわち相対的な音量が表示されていた）。しかし、表示部２０には、消音器を装着して吹奏したときの音量が、絶対音量で表示されても良い。また、表示部２０は、絶対音量で表示されるように初期設定が為されても良い。この例は、合奏などの他の楽器との音量関係を意識して吹奏を行う場合に有益である。また、第２実施形態による消音器１Ａの表示部２０Ａには、音量のデシベル値が数値表示されていた。この場合においても、絶対音量のデシベル値で表示されても良いし、相対的な音量のデシベル値で表示されても良い。相対的な音量のデシベル値で数値表示する場合、例えば、基準音量に対して取得した音量が大きければ正符号で表示し、基準音量に対して取得した音量が小さければ負符号で表示するようにしても良い。
【００５１】
（１０）上記第１実施形態による消音器１の表示部２０では、正面から表示部２０を見たときに音量が大きくなるほど右側方向に点灯が進む表示態様を順方向表示とし、正面から表示部２０を見たときに音量が大きくなるほど左側方向に点灯が進む表示態様を鏡像表示としていた。しかし、正面から表示部２０を見たときに音量が大きくなるほど左側方向に点灯が進む表示態様を順方向表示とし、正面から表示部２０を見たときに音量が大きくなるほど右側方向に点灯が進む表示態様を鏡像表示としても良い。
【００５２】
（１１）上記第１実施形態による消音器１の表示部２０は、ベル３の前方側からベル３の端面を見たときに各点灯部２１が左右方向に並ぶように底部１２の外壁に設けられていた。しかし、表示部２０は、ベル３の前方側からベル３の端面を見たときに各点灯部２１が上下方向に並ぶように底部１２の外壁に設けられても良い。また、ベル３の前方側からベル３の端面を見たときに各点灯部２１が上下方向に並ぶように、ユーザが消音器１を胴部１１の軸の周りに回転させた姿勢でトランペットに装着しても良い。このように、ベル３の前方側からベル３の端面を見たときにおける上下方向に各点灯部２１が配置されると、ユーザは、鏡を介して表示部２０の表示を見るときにその表示部２０の表示態様を鏡像表示にする必要がなくなる。また、表示部２０が底部１２の中央よりも上側に位置するように、ユーザが消音器１を胴部１１の軸の周りに１８０度回転させた姿勢でトランペットに装着することも考えられる。表示部２０がこのように配置された場合、順方向表示に設定して表示すると鏡像反転した内容のように表示され、鏡像表示に設定して表示すると順方向の内容のように表示される。このため、この場合、順方向の内容を表示させるときには鏡像表示に設定し、鏡像反転した内容を表示させるときには順方向表示に設定すると良い。
【００５３】
（１２）上記第３実施形態による消音器１Ｂでは、フレキシブルアーム２５の先端に点灯部２１を有する表示部２０を固定していたが、フレキシブルアーム２５の先端にＬＣＤ２２を有する表示部２０Ａを固定しても良い。
【００５４】
（１３）上記第３実施形態による消音器１Ｂでは、フレキシブルアーム２５の先端に点灯部２１を有する表示部２０を固定していた。しかし、図６に示す消音器１Ｃように、フレキシブルアーム２５の長手方向の各位置に複数の点灯部２６を固定しても良い。この態様では、フレキシブルアーム２５の長手方向の一連の点灯部２６を第１および第３実施形態における表示部２０の一連の点灯部２１と同様に機能させる。これにより第３実施形態と同様の効果を奏する。
【００５５】
（１４）上記各実施形態による消音器１〜１Ｂでは、表示部２０および２０Ａを動作させるための電源や制御部は表示部２０および２０Ａに内蔵されていた。しかし、それら電源や制御部は、表示部２０および２０Ａの外部に設けられていても良く、また、消音器１〜１Ｂに搭載されていなくても良い。例えば、消音器１〜１Ｂのマイクロフォン３３の出力信号を消音器１〜１Ｂから外部装置に出力し、外部装置の制御部で信号処理をした後にその結果を消音器１〜１Ｂの表示部２０および２０Ａに入力するようにしても良い。
【００５６】
（１５）上記各実施形態による消音器１〜１Ｂは、消音器１〜１Ｂを管楽器に装着したときに底部１２がベル３の端面近傍に位置する消音器１〜１Ｂに表示部２０および２０Ｂを設けたものであった。しかし、消音器を管楽器に装着したときに底部１２がベル３の端面から前方に大きく突出する消音器に表示部２０および２０Ｂを設けても良い。
【符号の説明】
【００５７】
１…消音器、３…ベル、１１…胴部、１１ａ，３６ａ…大径側端、１１ｂ，３６ｂ…小径側端、１２…底部、１３…空洞、１４…取り付け部、１５…貫通孔、１６…Ｕ字パイプ、２０…表示部、２１，２６…点灯部、２２…ＬＣＤ、２５…フレキシブルアーム、３１…パイプ、３２…支持部、３３…マイク、３４…信号線、３５…パッキン、３６…音程調節部、４０…鏡。
【図１】
2015045770.tif 000003
【図２】
2015045770.tif 000004
【図３】
2015045770.tif 000005
【図４】
2015045770.tif 000006
【図５】
2015045770.tif 000007
【図６】
2015045770.tif 000008